(57)【要約】【課題】日本語を母国語とする日本人に対して英語のヒヤリング能力を飛躍的に向上させることができる英語学習装置、方法及び記録媒体を提供する。【解決手段】英語学習装置１は、再生指示の情報が入力されると（ステップＳ１）、複数のトラック（音声データ）の中から最初のトラックを選択し（ステップＳ２）、選択したトラックを再生する（ステップＳ３）。このとき、英語のネイティブスピーカーの音声、英語の音声周波数（２０００Ｈｚ以上）に対応するコンピュータで生成された合成音、必要に応じて日本語の音声を、ヘッドフォン１３を介して出力する。そして、全トラックを再生したかを判定し（ステップＳ４）、全トラックを再生していない場合は、次のトラックを選択して（ステップＳ５）、上述したステップＳ３に戻る。ステップＳ３〜Ｓ５が繰り返し実行されると、全トラックが再生される。【選択図】図２
2014085403.tif 000002
【特許請求の範囲】
【請求項１】
音声データが記憶された記憶部と、
前記記憶部から読み出された音声データに基づいて、２０００Ｈｚ以上の音声を出力する音声出力部と、
を備えた英語学習装置。
【請求項２】
前記音声出力部は、２０００Ｈｚ以上のコンピュータで合成された合成声を出力する
請求項１に記載の英語学習装置。
【請求項３】
前記音声出力部は、周波数が連続的に又は間欠的に変化する音声を出力する
請求項１または請求項２に記載の英語学習装置。
【請求項４】
前記音声出力部は、２０００Ｈｚ以上の音声を出力すると共に、英語又は日本語の音声を出力する
請求項１から請求項３のいずれか１項に記載の英語学習装置。
【請求項５】
音声データを記憶するステップと、
前記音声データに基づいて、２０００Ｈｚ以上の音声を出力するステップと、
を備えた英語学習方法。
【請求項６】
前記音声を出力するステップは、２０００Ｈｚ以上のコンピュータで合成された合成声を出力する
請求項５に記載の英語学習方法。
【請求項７】
前記音声を出力するステップは、周波数が連続的に又は間欠的に変化する音声を出力する
請求項５または請求項６に記載の英語学習方法。
【請求項８】
２０００Ｈｚ以上の音声を出力すると共に、英語又は日本語の音声を出力するステップを備えた
請求項５から請求項７のいずれか１項に記載の英語学習方法。
【請求項９】
コンピュータを請求項１から請求項４のいずれか１項に記載の音声学習装置の各手段として機能させるためのデータが記憶された記録媒体。
【発明の詳細な説明】
【技術分野】
【０００１】
本発明は、英語学習装置、方法及び記録媒体に関する。
【背景技術】
【０００２】
従来、英語学習用コンピュータ・ソフトであって、教材テキストに対応し、かつヒヤリング用のセンテンスごとの音声が出力することを特徴とする英語学習用のコンピュータ・ソフトが開示されている（特許文献１参照）。
【０００３】
特許文献１の発明は、教材テキストに対応した内容であるから、日常の授業に密着して学習を進めることができる。また、ヒヤリング用のセンテンスごとの音声を出力することによって、視覚と聴覚とを一元化してキメ細かく正しい発音を修得することができる。
【先行技術文献】
【特許文献】
【０００４】
【特許文献１】特開平６−９５５８５号公報
【発明の概要】
【発明が解決しようとする課題】
【０００５】
日本語と英語は、それぞれ音声周波数の帯域が異なっている。日本語は、英語に比べて音声周波数が低く、世界の言語の中で最も音声周波数の低い部類に該当する。具体的には、日本語の音声周波数の最高値は１５００Ｈｚであるのに対して、英語の音声周波数の最低値は２０００Ｈｚである。このため、音声周波数については、日本語と英語が交わることはない。
【０００６】
このため、日本語の音声周波数のみに慣れている日本人は、英語の音声を聴いても、英語本来の音声を聴き取ることができず、日本語に近い音声に置き換えて理解する問題がある。したがって、上述した日本人が、特許文献１の発明を使用してセンテンスの英語音声を聴いても、英語本来の音声を聴き取り、理解することができなかった。
【０００７】
本発明は、このような課題を解決するために提案されたものであり、日本語を母国語とする日本人に対して英語のヒヤリング能力を飛躍的に向上させることができる英語学習装置、方法及び記録媒体を提供することを目的とする。
【課題を解決するための手段】
【０００８】
本発明に係る英語学習装置は、音声データが記憶された記憶部と、前記記憶部から読み出された音声データに基づいて、２０００Ｈｚ以上の音声を出力する音声出力部と、を備えている。
【０００９】
本発明に係る英語学習方法は、音声データを記憶するステップと、前記音声データに基づいて、２０００Ｈｚ以上の音声を出力するステップと、を備えている。
【００１０】
本発明に係る英語学習記録媒体は、コンピュータを請求項１から請求項４のいずれか１項に記載の音声学習装置の各手段として機能させるためのデータが記録されたものである。
【発明の効果】
【００１１】
本発明は、日本語を母国語とする日本人に対して英語のヒヤリング能力を飛躍的に向上させることができる。
【図面の簡単な説明】
【００１２】
【図１】本発明の実施形態に係る英語学習装置の構成を示すブロック図である。
【図２】英語学習装置の英語学習ルーチンを示すフローチャートである。
【発明を実施するための形態】
【００１３】
以下、本発明の実施の形態について説明する。
図１は、英語学習装置１の構成を示すブロック図である。
【００１４】
英語学習装置１は、ユーザが操作できる操作部１１と、操作部１１からの操作情報に応じて音声の出力処理を行う本体部１２と、音声を出力するヘッドフォン１３と、を備えている。
【００１５】
本体部１２は、英語の音声データを予め記憶している。本体部１２は、操作部１１からの操作に応じて、音声データに基づく音声をヘッドフォン１３から出力する。
【００１６】
図２は、英語学習装置１の英語学習ルーチンを示すフローチャートである。
英語学習装置１の本体部１２は、操作部１１から再生指示の情報が入力されると（ステップＳ１）、内部メモリに記憶されている複数のトラック（音声データ）の中から最初のトラックを選択して（ステップＳ２）、選択したトラックを再生する（ステップＳ３）。
【００１７】
具体的には、本体部１２は、選択したトラックの音声データに基づいて、例えば、英語のネイティブスピーカーの音声、英語の音声周波数（２０００Ｈｚ以上）に対応するコンピュータで生成された合成音、必要に応じて日本語の音声を、ヘッドフォン１３を介して出力する。なお、ヘッドフォン１３から出力される音声は、特に限定されるものではなく、詳しくは後述する。
【００１８】
そして、本体部１２は、全トラックを再生したかを判定し（ステップＳ４）、全トラックを再生していない場合は、次のトラックを選択して（ステップＳ５）、上述したステップＳ３に戻る。そして、ステップＳ３〜Ｓ５が繰り返し実行されると、全トラックが再生され、英語学習ルーチンが終了する。
【００１９】
このような英語学習ルーチンを実行する英語学習装置１は、前述のステップＳ３において、英語のネイティブスピーカーの音声を出力すると共に、英語の音声周波数（例えば２０００Ｈｚ以上）に対応するコンピュータで生成された合成声を出力することができる。これにより、ユーザは、英語を理解するのに重要なキーサウンド、複雑な混合音を聴き取ることができるようになる。
【００２０】
特に、ユーザは、上述した音声を繰り返し聴くと、子供のころから眠っていたヒヤリング能力が向上して、英語のネイティブスピーカーの話す英語と日本人の話す英語との違いや、似通った英語の発音の違いを理解することが可能になる。さらに、ユーザは、英語の様々な音域とトーンの違いも理解することも可能になる。
【００２１】
また、英語学習装置１は、２０００Ｈｚ以上の様々な異なる周波数の合成音を連続的に又は間欠的に出力することもできる。この結果、ユーザは、ヒヤリング力が刺激され、リスニング可能な範囲が広がり、英語の発音を聴き取ることが可能になる。
【００２２】
また、英語学習装置１は、英語に限らず、日本語などの日本人に聞きなれた音声も出力することができる。これは、ユーザの英語のヒヤリング能力を発達させるために、ユーザが英語に集中できるか、意図的にされたものである。よって、ユーザは、聴こえる英語のみに集中して、日本語の音を遮断するようにすれば、さらにヒヤリング能力が向上する。
【００２３】
英語学習装置１は、ユーザが日本に住んでいればほとんど触れることがないような、様々な英語の発音を出力する。具体的には、英語学習装置１は、英語に存在するが日本語には存在しない１０の母音、ネイティブスピーカーが速く話すときに生まれる様々な発音を出力することができる。
【００２４】
そして、ユーザは、これらの音声を２週間ほど連続して聴いていれば、例えば、サブタイトル（字幕）なしで洋画を見たときに、聴解範囲が広がり、以前よりもその洋画の内容を理解できるようになる。
【００２５】
なお、本発明は、上述した実施形態に限定されるものではなく、特許請求の範囲に記載された事項の範囲内で設計変更されたものにも適用可能である。
【００２６】
図１に示した英語学習装置１は、単体で構成されているが、コンピュータと一体に構成されたものでもよい。また、英語学習装置１は、音声を出力できれば特に限定されるものではなく、いわゆるＩＣレコーダのような音声記憶装置であってもよい。
【００２７】
さらに、図１に示すヘッドフォン１３は、英語学習装置１から脱着可能な構成であってもよい。ヘッドフォン１３の代わりに、イヤホンやスピーカであってもよい。
【符号の説明】
【００２８】
１  英語学習装置
１１  操作部
１２  本体部
１３  ヘッドフォン
【図１】
2014085403.tif 000003
【図２】
2014085403.tif 000004